(57)【要約】      （修正有）【課題】低温から高温までの幅広い温度領域において高解像度を維持することが可能な結像光学系を提供する。【解決手段】被写体側から順に、正の屈折力を有する前群Ｇ11と、所定の口径を規定する絞りＳＴＰと、正の屈折力を有する後群Ｇ12と、が配置されて構成される。前群Ｇ11は、被写体側から順に、負レンズＬ111と、正レンズＬ112と、が配置されて構成され、後群Ｇ12は、被写体側から順に、負レンズＬ121と、正レンズＬ122と、正レンズＬ123と、が配置されて構成され以下の条件式を満足する。（１）０．２７≦｜θ３／θ２｜≦１．０８、ただしθ３、θ２は各々負レンズＬ121、正レンズＬ112のｄ線に対する相対屈折率変化。【選択図】図１
2016114648.tif 000002
【特許請求の範囲】
【請求項１】
被写体側から順に、前群、絞り、後群が配置されてなる結像光学系であって、
前記前群中の最も前記絞りに近い位置に正レンズが配置され、前記後群中の最も前記絞りに近い位置に負レンズが配置されており、
以下に示す条件式を満足することを特徴とする結像光学系。
（１）  ０．２７≦｜θ３／θ２｜≦１．８０
ただし、θ３は前記負レンズのｄ線に対する温度による相対屈折率変化、θ２は前記正レンズのｄ線に対する温度による相対屈折率変化を示す。
【請求項２】
以下に示す条件式を満足することを特徴とする請求項１に記載の結像光学系。
（２）  −２．４≦Ｆ２／ｆ２１≦−１．３
（３）  １．００≦Ｆ１／ｆ１２≦１．６５
ただし、Ｆ２は前記後群の焦点距離、ｆ２１は前記負レンズの焦点距離、Ｆ１は前記前群の焦点距離、ｆ１２は前記正レンズの焦点距離を示す。
【請求項３】
前記後群は、被写体側から順に、第１レンズ、第２レンズ、第３レンズが配置されてなり、
以下に示す条件式を満足することを特徴とする請求項１または２に記載の結像光学系。
（４）  ３．６≦ν２２／ν２１≦５．６
ただし、ν２２は前記第２レンズのｄ線に対するアッベ数、ν２１は前記第１レンズのｄ線に対するアッベ数を示す。
【請求項４】
前記後群は、被写体側から順に、第１レンズ、第２レンズ、第３レンズが配置されてなり、
以下に示す条件式を満足することを特徴とする請求項１〜３のいずれか一つに記載の結像光学系。
（５）  １．１５≦｜ｆ２３／Ｆ１｜≦３．０
ただし、ｆ２３は前記第３レンズの焦点距離、Ｆ１は前記前群の焦点距離を示す。
【発明の詳細な説明】
【技術分野】
【０００１】
本発明は、高温時や低温時でも高解像度を維持することが可能な結像光学系に関する。
【背景技術】
【０００２】
監視用カメラや車載用カメラは、搭載スペースが限られることが多いことなどから小型であることが要求され、それらに搭載される結像光学系もより小型であることが求められる。さらに、監視用カメラや車載用カメラは、夜間使用されることも多いため、明るい結像光学系が求められる。そこで、かかる要求に応えるべく、監視用カメラや車載用カメラに搭載可能な結像光学系が提案されている（たとえば、特許文献１〜３を参照。）。
【０００３】
特許文献１に開示された光学系は、５枚のレンズ構成でＦナンバーが２．４程度のものである。特許文献２，３に開示された光学系は、５枚のレンズ構成でＦナンバーが２.０程度のものである。
【先行技術文献】
【特許文献】
【０００４】
【特許文献１】特開２０１３−９２７７４号公報
【特許文献２】特開２０１３−４７７５３号公報
【特許文献３】特開２００８−８９６０号公報
【発明の概要】
【発明が解決しようとする課題】
【０００５】
近年、監視用カメラや車載用カメラも低価格化が進み、それらに搭載される結像光学系においても安価なものが求められている。さらに、近年急激な固体撮影素子（ＣＣＤやＣＭＯＳ等）の高画素化が進んだことで、高画素の固体撮影素子に対応可能な高解像度の明るい結像光学系が要求されている。
【０００６】
さらに、監視用カメラは、気温の変化が大きい屋外に設置されることが多い。また、車載用カメラは、特に夏季に高温になるおそれのある車内に設置される。そこで、監視用カメラや車載用カメラに搭載される結像光学系には、低温から高温までの幅広い温度領域において高解像度を維持できることが要求される。特に、高温時や低温時でのピントずれを防止するためには、焦点深度が深い光学系がより有利である。また、焦点深度が深ければ、製品組立時に生じる偏心による画質の悪化を避けることもできる。
【０００７】
特許文献１に記載された光学系は、５枚のレンズで構成されているため製造コストが低く、Ｆナンバーも２．４と明るいが、諸収差が十分に補正されていないために解像度が低く、高画質の画像を得ることは困難である。特に、焦点深度が浅いため、高温時や低温時におけるピントずれが生じやすく、低温から高温までの幅広い温度領域において高解像度を維持することが困難である。焦点深度が浅いと、画質が製品組立時に生じる偏心による影響を受けやすいという問題もある。
【０００８】
特許文献２に記載された光学系も、５枚のレンズで構成されているため製造コストが低く、Ｆナンバーも２．０と明るいが、諸収差が十分に補正されていないために解像度が低く、高画質の画像を得ることは困難である。また、レンズ硝材の屈折率の温度係数が大きいため、高温時や低温時のピントずれが大きく、低温から高温までの幅広い温度領域において高解像度を維持することが困難である。
【０００９】
特許文献３に記載された光学系も、５枚のレンズで構成されているため製造コストが低く、Ｆナンバーも２．０と明るいが、諸収差が十分に補正されていないために解像度が低く、高画質の画像を得ることは困難である。また、特許文献１に記載された光学系と同様に、焦点深度が浅いため、高温時や低温時におけるピントずれが生じやすく、低温から高温までの幅広い温度領域において高解像度を維持することが困難である。焦点深度が浅いと、画質が製品組立時に生じる偏心による影響を受けやすいという問題もある。
【００１０】
本発明は、上述した従来技術による問題点を解消するため、低温から高温までの幅広い温度領域において高い解像度を維持することが可能な結像光学系を提供することを目的とする。
【課題を解決するための手段】
【００１１】
上述した課題を解決し、目的を達成するため、本発明にかかる結像光学系は、被写体側から順に、前群、絞り、後群が配置されてなる結像光学系であって、前記前群中の最も前記絞りに近い位置に正レンズが配置され、前記後群中の最も前記絞りに近い位置に負レンズが配置されており、以下に示す条件式を満足することを特徴とする。
（１）  ０．２７≦｜θ３／θ２｜≦１．８０
ただし、θ３は前記負レンズのｄ線に対する温度による相対屈折率変化、θ２は前記正レンズのｄ線に対する温度による相対屈折率変化を示す。
【００１２】
本発明によれば、低温から高温までの幅広い温度領域において高い解像度を維持することが可能な結像光学系を提供することができる。
【００１３】
さらに、本発明にかかる結像光学系は、前記発明において、以下に示す条件式を満足することを特徴とする。
（２）  −２．４≦Ｆ２／ｆ２１≦−１．３
（３）  １．００≦Ｆ１／ｆ１２≦１．６５
ただし、Ｆ２は前記後群の焦点距離、ｆ２１は前記負レンズの焦点距離、Ｆ１は前記前群の焦点距離、ｆ１２は前記正レンズの焦点距離を示す。
【００１４】
本発明によれば、焦点深度が深い結像光学系を提供することができる。焦点深度が深ければ、高温時または低温時におけるピントずれが生じにくく、低温から高温までの幅広い温度領域において高解像度を維持することができる。また、焦点深度が深いと、画質が製品組立時に生じる偏心による影響を受けにくく、良好な画質を維持することができる。
【００１５】
さらに、本発明にかかる結像光学系は、前記発明において、前記後群が、被写体側から順に、第１レンズ、第２レンズ、第３レンズが配置されてなり、以下に示す条件式を満足することを特徴とする。
（４）  ３．６≦ν２２／ν２１≦５．６
ただし、ν２２は前記第２レンズのｄ線に対するアッベ数、ν２１は前記第１レンズのｄ線に対するアッベ数を示す。
【００１６】
本発明によれば、倍率色収差および非点収差を良好に補正して、高解像度を維持することができる。
【００１７】
さらに、本発明にかかる結像光学系は、前記発明において、前記後群が、被写体側から順に、第１レンズ、第２レンズ、第３レンズが配置されてなり、以下に示す条件式を満足することを特徴とする。
（５）  １．１５≦｜ｆ２３／Ｆ１｜≦３．０
ただし、ｆ２３は前記第３レンズの焦点距離、Ｆ１は前記前群の焦点距離を示す。
【００１８】
本発明によれば、歪曲収差を良好に補正するとともに、周辺光量の低下を防止して、高解像度を維持することができる。
【発明の効果】
【００１９】
本発明によれば、最も温度変化による解像度の低下に影響を及ぼしやすい、絞りの最も近い位置に配置されるレンズにおける相対屈折率変化を適切に設定することで、低温から高温までの幅広い温度領域において高い解像度を維持することが可能な結像光学系を提供することができるという効果を奏する。
【００２０】
加えて、本発明によれば、焦点深度が深い結像光学系を提供することができるという効果を奏する。焦点深度が深ければ、高温時や低温時におけるピントずれが生じにくく、低温から高温までの幅広い温度領域において高解像度を維持することができる。また、焦点深度が深いと、画質が製品組立時に生じる偏心による影響を受けにくく、良好な画質を維持することができる。
【図面の簡単な説明】
【００２１】
【図１】実施例１にかかる結像光学系の構成を示す光軸に沿う断面図である。
【図２】実施例１にかかる結像光学系の諸収差図である。
【図３】実施例２にかかる結像光学系の構成を示す光軸に沿う断面図である。
【図４】実施例２にかかる結像光学系の諸収差図である。
【図５】実施例３にかかる結像光学系の構成を示す光軸に沿う断面図である。
【図６】実施例３にかかる結像光学系の諸収差図である。
【図７】実施例４にかかる結像光学系の構成を示す光軸に沿う断面図である。
【図８】実施例４にかかる結像光学系の諸収差図である。
【図９】実施例５にかかる結像光学系の構成を示す光軸に沿う断面図である。
【図１０】実施例５にかかる結像光学系の諸収差図である。
【図１１】実施例６にかかる結像光学系の構成を示す光軸に沿う断面図である。
【図１２】実施例６にかかる結像光学系の諸収差図である。
【発明を実施するための形態】
【００２２】
以下、本発明にかかる結像光学系の好適な実施の形態を詳細に説明する。
【００２３】
本発明は、低温から高温までの幅広い温度領域において高い解像度を維持することが可能な結像光学系を提供することを目的としている。そこで、かかる目的を達成するため、本発明にかかる結像光学系は、以下に示す特徴を備えている。
【００２４】
高温時や低温時はレンズが膨張、収縮することによってレンズの屈折率変化が生じるおそれがある。レンズの屈折率変化が生じると、光学系のピントずれが生じて解像度の低下を招きやすい。したがって、低温から高温までの幅広い温度領域において高い解像度を維持するためには、特に、高温時や低温時におけるレンズの屈折率変化を適切に制御して、光学系のピントずれを抑制することが必要になる。
【００２５】
そこで、本発明にかかる結像光学系は、被写体側から順に、前群、絞り、後群を配置して構成する。そして、前群中の最も絞りに近い位置に正レンズを配置し、後群中の最も絞りに近い位置に負レンズを配置するとともに、当該負レンズのｄ線に対する温度による相対屈折率変化をθ３、当該正レンズのｄ線に対する温度による相対屈折率変化をθ２とするとき、次の条件式を満足することが好ましい。なお、温度による相対屈折率変化は、レンズ材料と同温度の空気中における屈折率の温度変化で定義される。
（１）  ０．２７≦｜θ３／θ２｜≦１．８０
【００２６】
条件式（１）は、高温時や低温時のピントずれを抑制するための条件を示している。条件式（１）を満足することにより、高温時や低温時のピントずれを抑制し、低温から高温までの幅広い温度領域において高い解像度を維持することができる。本発明では、最も温度変化による解像度の低下に影響を及ぼしやすい、絞りの最も近い位置に配置されるレンズのｄ線に対する温度による相対屈折率変化を規定している。
【００２７】
条件式（１）においてその下限値を下回ると、前群中の最も絞りに近い位置に配置される正レンズに使用できる材料のｄ線に対する温度による相対屈折率変化が大きくなりすぎて、高温時および低温時のピントずれが大きくなり、解像度が低下してしまう。一方、条件式（１）においてその上限値を超えると、前群中の最も絞りに近い位置に配置される正レンズに使用できる材料のｄ線に対する温度による相対屈折率変化が小さくなりすぎて、高温時および低温時のピントずれが大きくなり、解像度が低下してしまう。
【００２８】
なお、上記条件式（１）は、次に示す範囲を満足すると、より好ましい効果が期待できる。
（１ａ）  ０．４９≦｜θ３／θ２｜≦１．４５
この条件式（１ａ）で規定する範囲を満足することにより、高温時や低温時であっても、より高い解像度を維持することができる。
【００２９】
また、本発明にかかる結像光学系において、球面収差を良好に補正するためには、後群中の最も絞りに近い位置に配置される負レンズが、被写体側に凹面を向けて配置されていることが好ましい。当該負レンズの被写体側面が凸面である場合球面収差の発生が顕著になり、解像度の低下を招く。
【００３０】
また、高温時や低温時に生じるピントずれを回避するためには、光学系のピントの合う範囲を広くする、すなわち焦点深度が深くなるようにするとよい。
【００３１】
そこで、本発明にかかる結像光学系では、後群の焦点距離をＦ２、後群中の最も絞りに近い位置に配置される負レンズの焦点距離をｆ２１、前群の焦点距離をＦ１、前群中の最も絞りに近い位置に配置される正レンズの焦点距離をｆ１２とするとき、次の条件式を満足することが好ましい。
（２）  −２．４≦Ｆ２／ｆ２１≦−１．３
（３）  １．００≦Ｆ１／ｆ１２≦１．６５
【００３２】
条件式（２），（３）は、光学系の焦点深度を深くするための条件を示している。条件式（２），（３）を満足することにより、焦点深度が深い結像光学系を実現することができる。焦点深度が深ければ、高温時や低温時であってもピントずれが生じにくく、低温から高温までの幅広い温度領域において高解像度を維持することができる。また、焦点深度が深いと、画質が製品組立時に生じる偏心による影響を受けにくく、良好な画質を維持することができる。
【００３３】
条件式（２）においてその下限値を下回ると、球面収差の補正が不足して、焦点深度が浅くなってしまう。一方、条件式（２）においてその上限値を超えると、球面収差の補正が過剰になって、解像度が低下してしまう。
【００３４】
なお、上記条件式（２）は、次に示す範囲を満足すると、より好ましい効果が期待できる。
（２ａ）  −２．０４≦Ｆ２／ｆ２１≦−１．５１
この条件式（２ａ）で規定する範囲を満足することにより、より良好に球面収差を補正して、光学系の焦点深度を深くすることができる。
【００３５】
また、条件式（３）においてその下限値を下回ると、球面収差の補正が過剰になって、解像度が低下してしまう。一方、条件式（３）においてその上限値を超えると、球面収差の補正が不足して、焦点深度が浅くなってしまう。
【００３６】
なお、上記条件式（３）は、次に示す範囲を満足すると、より好ましい効果が期待できる。
（３ａ）  １．２５≦Ｆ１／ｆ１２≦１．５４
この条件式（３ａ）で規定する範囲を満足することにより、より良好に球面収差を補正して、光学系の焦点深度を深くすることができる。
【００３７】
さらに、本発明にかかる結像光学系では、後群が、被写体側から順に、第１レンズ、第２レンズ、第３レンズが配置されてなり、第２レンズのｄ線に対するアッベ数をν２２、第１レンズのｄ線に対するアッベ数をν２１とするとき、次の条件式を満足することが好ましい。
（４）  ３．６≦ν２２／ν２１≦５．６
【００３８】
条件式（４）は、倍率色収差および非点収差を抑制するための条件を示している。条件式（４）を満足することにより、倍率色収差および非点収差を良好に補正して、高解像度を維持することができる。
【００３９】
条件式（４）においてその下限値を下回ると、後群の第２レンズの分散が小さくなりすぎて、倍率色収差の補正が困難になり、解像度が低下してしまう。一方、条件式（４）においてその上限値を超えると、非点収差の補正が困難になり、解像度が低下してしまう。
【００４０】
なお、上記条件式（４）は、次に示す範囲を満足すると、より好ましい効果が期待できる。
（４ａ）  ３．９≦ν２２／ν２１≦５．２
この条件式（４ａ）で規定する範囲を満足することにより、より良好に倍率色収差および非点収差を補正することができる。
【００４１】
さらに、本発明にかかる結像光学系では、後群が、被写体側から順に、第１レンズ、第２レンズ、第３レンズが配置されてなり、第３レンズの焦点距離をｆ２３、前群の焦点距離をＦ１とするとき、次の条件式を満足することが好ましい。
（５）  １．１５≦｜ｆ２３／Ｆ１｜≦３．０
【００４２】
条件式（５）は、歪曲収差を良好に補正するとともに、周辺光量の低下を防止するための条件を示している。条件式（５）を満足することにより、歪曲収差を良好に補正するとともに、周辺光量の低下を防止して、高解像度を維持することができる。
【００４３】
条件式（５）においてその下限値を下回ると、後群に対する前群のパワーが弱くなりすぎて、歪曲収差の補正が困難になり、解像度が低下してしまう。一方、条件式（５）においてその上限値を超えると、後群の第３レンズの屈折力が弱くなりすぎて、像面に入射する主光線角度が大きくなり、周辺光量が低下し解像度が低下してしまう。
【００４４】
なお、上記条件式（５）は、次に示す範囲を満足すると、より好ましい効果が期待できる。
（５ａ）  １．５６≦｜ｆ２３／Ｆ１｜≦２．６４
この条件式（５ａ）で規定する範囲を満足することにより、解像度をより向上させることができる。
【００４５】
また、本発明にかかる結像光学系では、前述したように、後群は３枚のレンズで構成されるが、前群を構成するレンズの枚数は特定されない。すなわち、前群は少なくても１枚のレンズを有していることは必要であるが、２枚構成であっても３枚構成であってもよい。ただ、レンズ枚数が減ると諸収差の補正が困難になるばかりか、高温時および低温時のピントずれが大きくなって、解像度の低下を招くことになる。したがって、製造コストを抑えながら高解像度を維持するために、前群を２枚のレンズで構成することが好ましい。
【００４６】
以上説明したように、本発明にかかる結像光学系は、上記構成を備えることにより、レンズの温度による相対屈折率変化を適切に規定することによって、低温から高温までの幅広い温度領域において高い解像度を維持できる結像光学系を安価で提供することができる。
【００４７】
加えて、焦点深度が深い結像光学系を提供することもできる。焦点深度が深ければ、高温時または低温時におけるピントずれが生じにくく、低温から高温までの幅広い温度領域において高解像度を維持することができる。また、焦点深度が深いと、画質が製品組立時に生じる偏心による影響を受けにくく、良好な画質を維持することができる。
【００４８】
かかる特徴を備えた本発明の結像光学系は、特に環境温度の変化が著しい条件下で使用される監視用カメラや車載用カメラなどに好適である。
【００４９】
以下、本発明にかかる結像光学系の実施例を図面に基づき詳細に説明する。なお、以下の実施例により本発明が限定されるものではない。
【実施例１】
【００５０】
図１は、実施例１にかかる結像光学系の構成を示す光軸に沿う断面図である。この結像光学系は、図示しない被写体側から順に、正の屈折力を有する前群Ｇ11と、所定の口径を規定する絞りＳＴＰと、正の屈折力を有する後群Ｇ12と、が配置されて構成される。また、後群Ｇ12と結像面ＩＭＧとの間には、被写体側から順に、光学フィルタＦと、カバーガラスＣＧと、が配置されている。なお、結像面ＩＭＧには、固体撮像素子の受光面が配置される。
【００５１】
前群Ｇ11は、被写体側から順に、負レンズＬ111と、正レンズＬ112と、が配置されて構成される。正レンズＬ112の両面には、非球面が形成されている。
【００５２】
後群Ｇ12は、被写体側から順に、負レンズＬ121（第１レンズ）と、正レンズＬ122（第２レンズ）と、正レンズＬ123（第３レンズ）と、が配置されて構成される。負レンズＬ121の被写体側面には、凹面が形成されている。正レンズＬ123の両面には、非球面が形成されている。
【００５３】
以下、実施例１にかかる結像光学系に関する各種数値データを示す。
【００５４】
ｆ（結像光学系全系の焦点距離）＝6.0
Ｆｎｏ．（Ｆナンバー）＝2.0
２ω（画角）＝60.0
【００５５】
（レンズデータ）
ｒ1＝14.6435
ｄ1＝1.3224    ｎｄ1＝1.658    νｄ1＝50.85
ｒ2＝2.6278
ｄ2＝2.2613
ｒ3＝5.0017（非球面）
ｄ3＝2.0875    ｎｄ2＝1.851    νｄ2＝40.10
ｒ4＝-11.3152（非球面）
ｄ4＝0.0759
ｒ5＝∞（絞り）
ｄ5＝1.9704
ｒ6＝-2.4167
ｄ6＝0.6151    ｎｄ3＝1.946    νｄ3＝17.98
ｒ7＝-5.3862
ｄ7＝0.7218
ｒ8＝-4676.3070
ｄ8＝1.2966    ｎｄ4＝1.593    νｄ4＝68.62
ｒ9＝-9.0585
ｄ9＝0.0772
ｒ10＝9.3738（非球面）
ｄ10＝1.8418    ｎｄ5＝1.592    νｄ5＝67.02
ｒ11＝-9.1137（非球面）
ｄ11＝0.1000
ｒ12＝∞
ｄ12＝1.0000    ｎｄ6＝1.516    νｄ6＝64.14
ｒ13＝∞
ｄ13＝5.7000
ｒ14＝∞
ｄ14＝0.4000    ｎｄ7＝1.516    νｄ7＝64.14
ｒ15＝∞
ｄ15＝0.1512
ｒ16＝∞（結像面）
【００５６】
円錐係数（ε）および非球面係数（Ａ，Ｂ，Ｃ，Ｄ，Ｅ）
（第３面）
ε＝1，
Ａ＝5.45426×10-4，Ｂ＝-5.10209×10-6，
Ｃ＝-1.92183×10-5，Ｄ＝1.33392×10-7，
Ｅ＝-8.97359×10-8
（第４面）
ε＝1，
Ａ＝-2.49645×10-3，Ｂ＝-5.92804×10-6，
Ｃ＝-9.19254×10-6，Ｄ＝1.34117×10-6，
Ｅ＝-1.08535×10-7
（第１０面）
ε＝1，
Ａ＝1.82213×10-4，Ｂ＝6.38939×10-5，
Ｃ＝2.67778×10-6，Ｄ＝-5.92153×10-7，
Ｅ＝6.62019×10-9
（第１１面）
ε＝1，
Ａ＝2.62777×10-3，Ｂ＝5.31356×10-5，
Ｃ＝9.09030×10-6，Ｄ＝-1.10441×10-6，
Ｅ＝1.74049×10-8
【００５７】
（条件式（１）に関する数値）
θ３（負レンズＬ121のｄ線に対する温度による相対屈折率変化）＝3.7
θ２（正レンズＬ112のｄ線に対する温度による相対屈折率変化）＝7.5
｜θ３／θ２｜＝0.49
【００５８】
（条件式（２）に関する数値）
Ｆ２（後群Ｇ12の焦点距離）＝12.08
ｆ２１（負レンズＬ121の焦点距離）＝-5.15
Ｆ２／ｆ２１＝-2.34
【００５９】
（条件式（３）に関する数値）
Ｆ１（前群Ｇ11の焦点距離）＝6.87
ｆ１２（正レンズＬ112の焦点距離）＝4.33
Ｆ１／ｆ１２＝1.59
【００６０】
（条件式（４）に関する数値）
ν２２（正レンズＬ122（第２レンズ）のｄ線に対するアッベ数）＝68.62
ν２１（負レンズＬ121（第１レンズ）のｄ線に対するアッベ数）＝17.98
ν２２／ν２１＝3.81
【００６１】
（条件式（５）に関する数値）
ｆ２３（正レンズＬ123（第３レンズ）の焦点距離）＝8.11
Ｆ１（前群Ｇ11の焦点距離）＝6.87
｜ｆ２３／Ｆ１｜＝1.18
【００６２】
図２は、実施例１にかかる結像光学系の諸収差図である。球面収差図において、縦軸はＦナンバー（図中、Ｆｎｏ．で示す）を表し、ｄ線（λ＝５８７．５６ｎｍ）に相当する波長の特性を示している。非点収差図において、縦軸は半画角（図中、ωで示す）を表し、ｄ線（λ＝５８７．５６ｎｍ）に相当する波長の特性を示している。なお、非点収差図において、実線はサジタル平面（図中、Ｓで示す）、破線はメリディオナル平面（図中、Ｍで示す）の特性を示している。歪曲収差図において、縦軸は半画角（図中、ωで示す）を表し、ｄ線（λ＝５８７．５６ｎｍ）に相当する波長の特性を示している。倍率色収差図において、縦軸は半画角（図中、ωで示す）を表し、ｄはｄ線（λ＝５８７．５６ｎｍ）、ＦはＦ線（λ＝４８６．１３ｎｍ）、ＣはＣ線（λ＝６５６．２７ｎｍ）に相当する波長の特性を示している。
【実施例２】
【００６３】
図３は、実施例２にかかる結像光学系の構成を示す光軸に沿う断面図である。この結像光学系は、図示しない被写体側から順に、正の屈折力を有する前群Ｇ21と、所定の口径を規定する絞りＳＴＰと、正の屈折力を有する後群Ｇ22と、が配置されて構成される。また、後群Ｇ22と結像面ＩＭＧとの間には、被写体側から順に、光学フィルタＦと、カバーガラスＣＧと、が配置されている。なお、結像面ＩＭＧには、固体撮像素子の受光面が配置される。
【００６４】
前群Ｇ21は、被写体側から順に、負レンズＬ211と、正レンズＬ212と、が配置されて構成される。正レンズＬ212の両面には、非球面が形成されている。
【００６５】
後群Ｇ22は、被写体側から順に、負レンズＬ221（第１レンズ）と、正レンズＬ222（第２レンズ）と、正レンズＬ223（第３レンズ）と、が配置されて構成される。負レンズＬ221の被写体側面には、凹面が形成されている。正レンズＬ223の両面には、非球面が形成されている。
【００６６】
以下、実施例２にかかる結像光学系に関する各種数値データを示す。
【００６７】
ｆ（結像光学系全系の焦点距離）＝6.0
Ｆｎｏ．（Ｆナンバー）＝2.0
２ω（画角）＝60.0
【００６８】
（レンズデータ）
ｒ1＝65.8266
ｄ1＝1.0116    ｎｄ1＝1.658    νｄ1＝50.85
ｒ2＝3.8349
ｄ2＝3.9183
ｒ3＝5.6968（非球面）
ｄ3＝1.2437    ｎｄ2＝1.821    νｄ2＝42.71
ｒ4＝-23.2935（非球面）
ｄ4＝0.0981
ｒ5＝∞（絞り）
ｄ5＝3.1501
ｒ6＝-2.5463
ｄ6＝0.6333    ｎｄ3＝2.003    νｄ3＝19.32
ｒ7＝-4.7523
ｄ7＝0.0978
ｒ8＝∞
ｄ8＝2.5992    ｎｄ4＝1.497    νｄ4＝81.61
ｒ9＝-4.6138
ｄ9＝0.0923
ｒ10＝18.5992（非球面）
ｄ10＝2.2238    ｎｄ5＝1.592    νｄ5＝67.02
ｒ11＝-19.1491（非球面）
ｄ11＝0.1000
ｒ12＝∞
ｄ12＝1.0000    ｎｄ6＝1.516    νｄ6＝64.14
ｒ13＝∞
ｄ13＝5.9000
ｒ14＝∞
ｄ14＝0.4000    ｎｄ7＝1.516    νｄ7＝64.14
ｒ15＝∞
ｄ15＝0.1568
ｒ16＝∞（結像面）
【００６９】
円錐係数（ε）および非球面係数（Ａ，Ｂ，Ｃ，Ｄ，Ｅ）
（第３面）
ε＝1，
Ａ＝9.52503×10-4，Ｂ＝9.49260×10-5，
Ｃ＝-1.65311×10-5，Ｄ＝2.07115×10-6，
Ｅ＝-3.78499×10-8
（第４面）
ε＝1，
Ａ＝3.53564×10-4，Ｂ＝1.16745×10-4，
Ｃ＝-3.05943×10-5，Ｄ＝4.71509×10-6，
Ｅ＝-2.04009×10-7
（第１０面）
ε＝1，
Ａ＝4.83657×10-4，Ｂ＝-5.52837×10-5，
Ｃ＝6.65896×10-6，Ｄ＝-5.30466×10-7，
Ｅ＝-7.03815×10-10
（第１１面）
ε＝1，
Ａ＝1.77671×10-3，Ｂ＝-8.75517×10-6，
Ｃ＝5.24423×10-6，Ｄ＝-5.51386×10-7，
Ｅ＝5.19802×10-9
【００７０】
（条件式（１）に関する数値）
θ３（負レンズＬ221のｄ線に対する温度による相対屈折率変化）＝6.8
θ２（正レンズＬ212のｄ線に対する温度による相対屈折率変化）＝6.1
｜θ３／θ２｜＝1.11
【００７１】
（条件式（２）に関する数値）
Ｆ２（後群Ｇ22の焦点距離）＝12.14
ｆ２１（負レンズＬ221の焦点距離）＝-6.39
Ｆ２／ｆ２１＝-1.90
【００７２】
（条件式（３）に関する数値）
Ｆ１（前群Ｇ21の焦点距離）＝7.77
ｆ１２（正レンズＬ212の焦点距離）＝5.69
Ｆ１／ｆ１２＝1.37
【００７３】
（条件式（４）に関する数値）
ν２２（正レンズＬ222（第２レンズ）のｄ線に対するアッベ数）＝81.61
ν２１（負レンズＬ221（第１レンズ）のｄ線に対するアッベ数）＝19.32
ν２２／ν２１＝4.22
【００７４】
（条件式（５）に関する数値）
ｆ２３（正レンズＬ223（第３レンズ）の焦点距離）＝16.29
Ｆ１（前群Ｇ21の焦点距離）＝7.77
｜ｆ２３／Ｆ１｜＝2.10
【００７５】
図４は、実施例２にかかる結像光学系の諸収差図である。球面収差図において、縦軸はＦナンバー（図中、Ｆｎｏ．で示す）を表し、ｄ線（λ＝５８７．５６ｎｍ）に相当する波長の特性を示している。非点収差図において、縦軸は半画角（図中、ωで示す）を表し、ｄ線（λ＝５８７．５６ｎｍ）に相当する波長の特性を示している。なお、非点収差図において、実線はサジタル平面（図中、Ｓで示す）、破線はメリディオナル平面（図中、Ｍで示す）の特性を示している。歪曲収差図において、縦軸は半画角（図中、ωで示す）を表し、ｄ線（λ＝５８７．５６ｎｍ）に相当する波長の特性を示している。倍率色収差図において、縦軸は半画角（図中、ωで示す）を表し、ｄはｄ線（λ＝５８７．５６ｎｍ）、ＦはＦ線（λ＝４８６．１３ｎｍ）、ＣはＣ線（λ＝６５６．２７ｎｍ）に相当する波長の特性を示している。
【実施例３】
【００７６】
図５は、実施例３にかかる結像光学系の構成を示す光軸に沿う断面図である。この結像光学系は、図示しない被写体側から順に、正の屈折力を有する前群Ｇ31と、所定の口径を規定する絞りＳＴＰと、正の屈折力を有する後群Ｇ32と、が配置されて構成される。また、後群Ｇ32と結像面ＩＭＧとの間には、被写体側から順に、光学フィルタＦと、カバーガラスＣＧと、が配置されている。なお、結像面ＩＭＧには、固体撮像素子の受光面が配置される。
【００７７】
前群Ｇ31は、被写体側から順に、負レンズＬ311と、正レンズＬ312と、が配置されて構成される。正レンズＬ312の両面には、非球面が形成されている。
【００７８】
後群Ｇ32は、被写体側から順に、負レンズＬ321（第１レンズ）と、正レンズＬ322（第２レンズ）と、正レンズＬ323（第３レンズ）と、が配置されて構成される。負レンズＬ321の被写体側面には、凹面が形成されている。正レンズＬ323の両面には、非球面が形成されている。
【００７９】
以下、実施例３にかかる結像光学系に関する各種数値データを示す。
【００８０】
ｆ（結像光学系全系の焦点距離）＝6.0
Ｆｎｏ．（Ｆナンバー）＝2.0
２ω（画角）＝60.0
【００８１】
（レンズデータ）
ｒ1＝-27.1372
ｄ1＝1.5009    ｎｄ1＝1.658    νｄ1＝50.85
ｒ2＝5.7712
ｄ2＝5.7163
ｒ3＝5.5663（非球面）
ｄ3＝1.5947    ｎｄ2＝1.773    νｄ2＝49.50
ｒ4＝-30.5705（非球面）
ｄ4＝0.3760
ｒ5＝∞（絞り）
ｄ5＝3.3979
ｒ6＝-2.6664
ｄ6＝0.5925    ｎｄ3＝2.104    νｄ3＝17.02
ｒ7＝-4.2419
ｄ7＝0.0990
ｒ8＝∞
ｄ8＝4.8050    ｎｄ4＝1.437    νｄ4＝95.01
ｒ9＝-4.9880
ｄ9＝0.0762
ｒ10＝-40.4531（非球面）
ｄ10＝1.4934    ｎｄ5＝1.592    νｄ5＝67.02
ｒ11＝-8.9340（非球面）
ｄ11＝0.1000
ｒ12＝∞
ｄ12＝1.0000    ｎｄ6＝1.516    νｄ6＝64.14
ｒ13＝∞
ｄ13＝5.5000
ｒ14＝∞
ｄ14＝0.4000    ｎｄ7＝1.516    νｄ7＝64.14
ｒ15＝∞
ｄ15＝0.1524
ｒ16＝∞（結像面）
【００８２】
円錐係数（ε）および非球面係数（Ａ，Ｂ，Ｃ，Ｄ，Ｅ）
（第３面）
ε＝1，
Ａ＝7.45640×10-4，Ｂ＝2.52063×10-5，
Ｃ＝-4.16410×10-7，Ｄ＝3.01641×10-8，
Ｅ＝2.15863×10-8
（第４面）
ε＝1，
Ａ＝9.38975×10-4，Ｂ＝3.52889×10-5，
Ｃ＝-7.37831×10-6，Ｄ＝1.15453×10-6，
Ｅ＝-3.94475×10-8
（第１０面）
ε＝1，
Ａ＝1.70005×10-4，Ｂ＝-4.72281×10-5，
Ｃ＝9.51867×10-6，Ｄ＝-4.72118×10-7，
Ｅ＝-3.49177×10-9
（第１１面）
ε＝1，
Ａ＝1.39589×10-3，Ｂ＝-3.85409×10-5，
Ｃ＝9.95823×10-6，Ｄ＝-4.53243×10-7，
Ｅ＝-1.54170×10-9
【００８３】
（条件式（１）に関する数値）
θ３（負レンズＬ321のｄ線に対する温度による相対屈折率変化）＝9.6
θ２（正レンズＬ312のｄ線に対する温度による相対屈折率変化）＝5.5
｜θ３／θ２｜＝1.75
【００８４】
（条件式（２）に関する数値）
Ｆ２（後群Ｇ32の焦点距離）＝10.89
ｆ２１（負レンズＬ321の焦点距離）＝-8.10
Ｆ２／ｆ２１＝-1.34
【００８５】
（条件式（３）に関する数値）
Ｆ１（前群Ｇ31の焦点距離）＝6.40
ｆ１２（正レンズＬ312の焦点距離）＝6.22
Ｆ１／ｆ１２＝1.03
【００８６】
（条件式（４）に関する数値）
ν２２（正レンズＬ322（第２レンズ）のｄ線に対するアッベ数）＝95.01
ν２１（負レンズＬ321（第１レンズ）のｄ線に対するアッベ数）＝17.02
ν２２／ν２１＝5.59
【００８７】
（条件式（５）に関する数値）
ｆ２３（正レンズＬ323（第３レンズ）の焦点距離）＝19.03
Ｆ１（前群Ｇ31の焦点距離）＝6.40
｜ｆ２３／Ｆ１｜＝2.98
【００８８】
図６は、実施例３にかかる結像光学系の諸収差図である。球面収差図において、縦軸はＦナンバー（図中、Ｆｎｏ．で示す）を表し、ｄ線（λ＝５８７．５６ｎｍ）に相当する波長の特性を示している。非点収差図において、縦軸は半画角（図中、ωで示す）を表し、ｄ線（λ＝５８７．５６ｎｍ）に相当する波長の特性を示している。なお、非点収差図において、実線はサジタル平面（図中、Ｓで示す）、破線はメリディオナル平面（図中、Ｍで示す）の特性を示している。歪曲収差図において、縦軸は半画角（図中、ωで示す）を表し、ｄ線（λ＝５８７．５６ｎｍ）に相当する波長の特性を示している。倍率色収差図において、縦軸は半画角（図中、ωで示す）を表し、ｄはｄ線（λ＝５８７．５６ｎｍ）、ＦはＦ線（λ＝４８６．１３ｎｍ）、ＣはＣ線（λ＝６５６．２７ｎｍ）に相当する波長の特性を示している。
【実施例４】
【００８９】
図７は、実施例４にかかる結像光学系の構成を示す光軸に沿う断面図である。この結像光学系は、図示しない被写体側から順に、正の屈折力を有する前群Ｇ41と、所定の口径を規定する絞りＳＴＰと、正の屈折力を有する後群Ｇ42と、が配置されて構成される。また、後群Ｇ42と結像面ＩＭＧとの間には、被写体側から順に、光学フィルタＦと、カバーガラスＣＧと、が配置されている。なお、結像面ＩＭＧには、固体撮像素子の受光面が配置される。
【００９０】
前群Ｇ41は、被写体側から順に、負レンズＬ411と、正レンズＬ412と、が配置されて構成される。正レンズＬ412の両面には、非球面が形成されている。
【００９１】
後群Ｇ42は、被写体側から順に、負レンズＬ421（第１レンズ）と、正レンズＬ422（第２レンズ）と、正レンズＬ423（第３レンズ）と、が配置されて構成される。負レンズＬ421の被写体側面には、凹面が形成されている。正レンズＬ423の両面には、非球面が形成されている。
【００９２】
以下、実施例４にかかる結像光学系に関する各種数値データを示す。
【００９３】
ｆ（結像光学系全系の焦点距離）＝6.0
Ｆｎｏ．（Ｆナンバー）＝2.0
２ω（画角）＝60.0
【００９４】
（レンズデータ）
ｒ1＝41.1116
ｄ1＝0.8519    ｎｄ1＝1.658    νｄ1＝50.85
ｒ2＝4.2164
ｄ2＝4.8778
ｒ3＝6.1042（非球面）
ｄ3＝1.1727    ｎｄ2＝1.851    νｄ2＝40.10
ｒ4＝-35.0171（非球面）
ｄ4＝0.0983
ｒ5＝∞（絞り）
ｄ5＝3.0647
ｒ6＝-2.6567
ｄ6＝0.5972    ｎｄ3＝2.003    νｄ3＝19.32
ｒ7＝-5.3099
ｄ7＝0.2841
ｒ8＝-24.7903
ｄ8＝1.6508    ｎｄ4＝1.593    νｄ4＝68.62
ｒ9＝-5.0088
ｄ9＝0.3589
ｒ10＝128.1394（非球面）
ｄ10＝2.3479    ｎｄ5＝1.553    νｄ5＝71.68
ｒ11＝-7.2545（非球面）
ｄ11＝0.1000
ｒ12＝∞
ｄ12＝1.0000    ｎｄ6＝1.516    νｄ6＝64.14
ｒ13＝∞
ｄ13＝6.5000
ｒ14＝∞
ｄ14＝0.4000    ｎｄ7＝1.516    νｄ7＝64.14
ｒ15＝∞
ｄ15＝0.1918
ｒ16＝∞（結像面）
【００９５】
円錐係数（ε）および非球面係数（Ａ，Ｂ，Ｃ，Ｄ，Ｅ）
（第３面）
ε＝1，
Ａ＝1.20488×10-3，Ｂ＝7.47898×10-5，
Ｃ＝-8.79387×10-6，Ｄ＝5.62957×10-7，
Ｅ＝-1.28602×10-9
（第４面）
ε＝1，
Ａ＝6.92038×10-4，Ｂ＝5.12202×10-5，
Ｃ＝-1.19177×10-5，Ｄ＝8.34322×10-7，
Ｅ＝-1.81539×10-8
（第１０面）
ε＝1，
Ａ＝1.67025×10-4，Ｂ＝-5.83690×10-7，
Ｃ＝1.23322×10-5，Ｄ＝-9.90837×10-7，
Ｅ＝2.66409×10-8
（第１１面）
ε＝1，
Ａ＝1.33035×10-3，Ｂ＝5.03731×10-5，
Ｃ＝1.45378×10-6，Ｄ＝1.30131×10-7，
Ｅ＝-6.79719×10-9
【００９６】
（条件式（１）に関する数値）
θ３（負レンズＬ421のｄ線に対する温度による相対屈折率変化）＝6.8
θ２（正レンズＬ412のｄ線に対する温度による相対屈折率変化）＝7.5
｜θ３／θ２｜＝0.91
【００９７】
（条件式（２）に関する数値）
Ｆ２（後群Ｇ42の焦点距離）＝12.48
ｆ２１（負レンズＬ421の焦点距離）＝-5.98
Ｆ２／ｆ２１＝-2.09
【００９８】
（条件式（３）に関する数値）
Ｆ１（前群Ｇ41の焦点距離）＝7.52
ｆ１２（正レンズＬ412の焦点距離）＝6.19
Ｆ１／ｆ１２＝1.21
【００９９】
（条件式（４）に関する数値）
ν２２（正レンズＬ422（第２レンズ）のｄ線に対するアッベ数）＝68.62
ν２１（負レンズＬ421（第１レンズ）のｄ線に対するアッベ数）＝19.32
ν２２／ν２１＝3.71
【０１００】
（条件式（５）に関する数値）
ｆ２３（正レンズＬ423（第３レンズ）の焦点距離）＝12.49
Ｆ１（前群Ｇ41の焦点距離）＝7.52
｜ｆ２３／Ｆ１｜＝1.66
【０１０１】
図８は、実施例４にかかる結像光学系の諸収差図である。球面収差図において、縦軸はＦナンバー（図中、Ｆｎｏ．で示す）を表し、ｄ線（λ＝５８７．５６ｎｍ）に相当する波長の特性を示している。非点収差図において、縦軸は半画角（図中、ωで示す）を表し、ｄ線（λ＝５８７．５６ｎｍ）に相当する波長の特性を示している。なお、非点収差図において、実線はサジタル平面（図中、Ｓで示す）、破線はメリディオナル平面（図中、Ｍで示す）の特性を示している。歪曲収差図において、縦軸は半画角（図中、ωで示す）を表し、ｄ線（λ＝５８７．５６ｎｍ）に相当する波長の特性を示している。倍率色収差図において、縦軸は半画角（図中、ωで示す）を表し、ｄはｄ線（λ＝５８７．５６ｎｍ）、ＦはＦ線（λ＝４８６．１３ｎｍ）、ＣはＣ線（λ＝６５６．２７ｎｍ）に相当する波長の特性を示している。
【実施例５】
【０１０２】
図９は、実施例５にかかる結像光学系の構成を示す光軸に沿う断面図である。この結像光学系は、図示しない被写体側から順に、正の屈折力を有する前群Ｇ51と、所定の口径を規定する絞りＳＴＰと、正の屈折力を有する後群Ｇ52と、が配置されて構成される。また、後群Ｇ52と結像面ＩＭＧとの間には、被写体側から順に、光学フィルタＦと、カバーガラスＣＧと、が配置されている。なお、結像面ＩＭＧには、固体撮像素子の受光面が配置される。
【０１０３】
前群Ｇ51は、被写体側から順に、負レンズＬ511と、正レンズＬ512と、が配置されて構成される。正レンズＬ512の両面には、非球面が形成されている。
【０１０４】
後群Ｇ52は、被写体側から順に、負レンズＬ521（第１レンズ）と、正レンズＬ522（第２レンズ）と、正レンズＬ523（第３レンズ）と、が配置されて構成される。負レンズＬ521の被写体側面には、凹面が形成されている。正レンズＬ523の両面には、非球面が形成されている。
【０１０５】
以下、実施例５にかかる結像光学系に関する各種数値データを示す。
【０１０６】
ｆ（結像光学系全系の焦点距離）＝6.0
Ｆｎｏ．（Ｆナンバー）＝2.0
２ω（画角）＝60.0
【０１０７】
（レンズデータ）
ｒ1＝-32.0676
ｄ1＝0.5995    ｎｄ1＝1.658    νｄ1＝50.85
ｒ2＝3.7450
ｄ2＝3.0398
ｒ3＝5.3867（非球面）
ｄ3＝1.8428    ｎｄ2＝1.755    νｄ2＝51.16
ｒ4＝-10.9413（非球面）
ｄ4＝0.2050
ｒ5＝∞（絞り）
ｄ5＝3.308
ｒ6＝-2.4348
ｄ6＝0.5732    ｎｄ3＝2.003    νｄ3＝19.32
ｒ7＝-4.0218
ｄ7＝0.1002
ｒ8＝∞
ｄ8＝2.6507    ｎｄ4＝1.437    νｄ4＝95.10
ｒ9＝-4.2484
ｄ9＝0.0874
ｒ10＝-149.7661（非球面）
ｄ10＝1.4626    ｎｄ5＝1.592    νｄ5＝67.02
ｒ11＝-10.2978（非球面）
ｄ11＝0.1000
ｒ12＝∞
ｄ12＝1.0000    ｎｄ6＝1.516    νｄ6＝64.14
ｒ13＝∞
ｄ13＝5.6000
ｒ14＝∞
ｄ14＝0.4000    ｎｄ7＝1.516    νｄ7＝64.14
ｒ15＝∞
ｄ15＝0.1179
ｒ16＝∞（結像面）
【０１０８】
円錐係数（ε）および非球面係数（Ａ，Ｂ，Ｃ，Ｄ，Ｅ）
（第３面）
ε＝1，
Ａ＝4.08337×10-4，Ｂ＝1.71269×10-5，
Ｃ＝-3.98433×10-6，Ｄ＝1.90505×10-7，
Ｅ＝7.03809×10-8
（第４面）
ε＝1，
Ａ＝3.66795×10-4，Ｂ＝8.40142×10-5，
Ｃ＝-1.67953×10-5，Ｄ＝2.42398×10-6，
Ｅ＝-2.47079×10-8
（第１０面）
ε＝1，
Ａ＝1.38636×10-3，Ｂ＝-1.97184×10-4，
Ｃ＝4.68211×10-5，Ｄ＝-4.17903×10-6，
Ｅ＝1.04142×10-7
（第１１面）
ε＝1，
Ａ＝2.79141×10-3，Ｂ＝-2.00511×10-4，
Ｃ＝5.41425×10-5，Ｄ＝-4.57761×10-6，
Ｅ＝1.15891×10-7
【０１０９】
（条件式（１）に関する数値）
θ３（負レンズＬ521のｄ線に対する温度による相対屈折率変化）＝6.8
θ２（正レンズＬ512のｄ線に対する温度による相対屈折率変化）＝4.7
｜θ３／θ２｜＝1.45
【０１１０】
（条件式（２）に関する数値）
Ｆ２（後群Ｇ52の焦点距離）＝12.19
ｆ２１（負レンズＬ521の焦点距離）＝-7.51
Ｆ２／ｆ２１＝-1.62
【０１１１】
（条件式（３）に関する数値）
Ｆ１（前群Ｇ51の焦点距離）＝7.31
ｆ１２（正レンズＬ512の焦点距離）＝5.02
Ｆ１／ｆ１２＝1.46
【０１１２】
（条件式（４）に関する数値）
ν２２（正レンズＬ522（第２レンズ）のｄ線に対するアッベ数）＝95.10
ν２１（負レンズＬ521（第１レンズ）のｄ線に対するアッベ数）＝19.32
ν２２／ν２１＝4.92
【０１１３】
（条件式（５）に関する数値）
ｆ２３（正レンズＬ523（第３レンズ）の焦点距離）＝18.61
Ｆ１（前群Ｇ51の焦点距離）＝7.31
｜ｆ２３／Ｆ１｜＝2.54
【０１１４】
図１０は、実施例５にかかる結像光学系の諸収差図である。球面収差図において、縦軸はＦナンバー（図中、Ｆｎｏ．で示す）を表し、ｄ線（λ＝５８７．５６ｎｍ）に相当する波長の特性を示している。非点収差図において、縦軸は半画角（図中、ωで示す）を表し、ｄ線（λ＝５８７．５６ｎｍ）に相当する波長の特性を示している。なお、非点収差図において、実線はサジタル平面（図中、Ｓで示す）、破線はメリディオナル平面（図中、Ｍで示す）の特性を示している。歪曲収差図において、縦軸は半画角（図中、ωで示す）を表し、ｄ線（λ＝５８７．５６ｎｍ）に相当する波長の特性を示している。倍率色収差図において、縦軸は半画角（図中、ωで示す）を表し、ｄはｄ線（λ＝５８７．５６ｎｍ）、ＦはＦ線（λ＝４８６．１３ｎｍ）、ＣはＣ線（λ＝６５６．２７ｎｍ）に相当する波長の特性を示している。
【実施例６】
【０１１５】
図１１は、実施例６にかかる結像光学系の構成を示す光軸に沿う断面図である。この結像光学系は、図示しない被写体側から順に、正の屈折力を有する前群Ｇ61と、所定の口径を規定する絞りＳＴＰと、正の屈折力を有する後群Ｇ62と、が配置されて構成される。また、後群Ｇ62と結像面ＩＭＧとの間には、被写体側から順に、光学フィルタＦと、カバーガラスＣＧと、が配置されている。なお、結像面ＩＭＧには、固体撮像素子の受光面が配置される。
【０１１６】
前群Ｇ61は、被写体側から順に、負レンズＬ611と、正レンズＬ612と、が配置されて構成される。正レンズＬ612の両面には、非球面が形成されている。
【０１１７】
後群Ｇ62は、被写体側から順に、負レンズＬ621（第１レンズ）と、正レンズＬ622（第２レンズ）と、正レンズＬ623（第３レンズ）と、が配置されて構成される。負レンズＬ621の被写体側面には、凹面が形成されている。正レンズＬ623の両面には、非球面が形成されている。
【０１１８】
以下、実施例６にかかる結像光学系に関する各種数値データを示す。
【０１１９】
ｆ（結像光学系全系の焦点距離）＝6.0
Ｆｎｏ．（Ｆナンバー）＝2.0
２ω（画角）＝60.0
【０１２０】
（レンズデータ）
ｒ1＝14.8694
ｄ1＝1.5052    ｎｄ1＝1.658    νｄ1＝50.85
ｒ2＝2.7207
ｄ2＝2.4484
ｒ3＝5.0757（非球面）
ｄ3＝1.8837    ｎｄ2＝1.851    νｄ2＝40.10
ｒ4＝-14.0158（非球面）
ｄ4＝0.0959
ｒ5＝∞（絞り）
ｄ5＝2.0386
ｒ6＝-2.4234
ｄ6＝0.5440    ｎｄ3＝1.923    νｄ3＝18.90
ｒ7＝-5.7476
ｄ7＝0.3976
ｒ8＝-5253710.9
ｄ8＝1.6284    ｎｄ4＝1.593    νｄ4＝68.62
ｒ9＝-6.7356
ｄ9＝0.0893
ｒ10＝11.7208（非球面）
ｄ10＝1.6544    ｎｄ5＝1.592    νｄ5＝67.02
ｒ11＝-8.8918（非球面）
ｄ11＝0.1000
ｒ12＝∞
ｄ12＝1.0000    ｎｄ6＝1.516    νｄ6＝64.14
ｒ13＝∞
ｄ13＝6.0500
ｒ14＝∞
ｄ14＝0.4000    ｎｄ7＝1.516    νｄ7＝64.14
ｒ15＝∞
ｄ15＝0.1471
ｒ16＝∞（結像面）
【０１２１】
円錐係数（ε）および非球面係数（Ａ，Ｂ，Ｃ，Ｄ，Ｅ）
（第３面）
ε＝1，
Ａ＝8.25004×10-4，Ｂ＝2.62772×10-5，
Ｃ＝-1.35690×10-5，Ｄ＝-2.97073×10-7，
Ｅ＝-1.68159×10-8
（第４面）
ε＝1，
Ａ＝-1.94258×10-3，Ｂ＝1.38913×10-5，
Ｃ＝-9.56376×10-6，Ｄ＝5.67059×10-7，
Ｅ＝-2.73708×10-9
（第１０面）
ε＝1，
Ａ＝2.32775×10-4，Ｂ＝6.07502×10-5，
Ｃ＝4.07910×10-6，Ｄ＝-7.29772×10-7，
Ｅ＝1.14943×10-8
（第１１面）
ε＝1，
Ａ＝2.42461×10-3，Ｂ＝7.21766×10-5，
Ｃ＝5.52775×10-6，Ｄ＝-6.96671×10-7，
Ｅ＝4.62476×10-9
【０１２２】
（条件式（１）に関する数値）
θ３（負レンズＬ621のｄ線に対する温度による相対屈折率変化）＝2.1
θ２（正レンズＬ612のｄ線に対する温度による相対屈折率変化）＝7.5
｜θ３／θ２｜＝0.28
【０１２３】
（条件式（２）に関する数値）
Ｆ２（後群Ｇ62の焦点距離）＝11.79
ｆ２１（負レンズＬ621の焦点距離）＝-4.93
Ｆ２／ｆ２１＝-2.39
【０１２４】
（条件式（３）に関する数値）
Ｆ１（前群Ｇ61の焦点距離）＝7.50
ｆ１２（正レンズＬ612の焦点距離）＝4.58
Ｆ１／ｆ１２＝1.64
【０１２５】
（条件式（４）に関する数値）
ν２２（正レンズＬ622（第２レンズ）のｄ線に対するアッベ数）＝68.62
ν２１（負レンズＬ621（第１レンズ）のｄ線に対するアッベ数）＝18.90
ν２２／ν２１＝3.62
【０１２６】
（条件式（５）に関する数値）
ｆ２３（正レンズＬ623（第３レンズ）の焦点距離）＝8.80
Ｆ１（前群Ｇ61の焦点距離）＝7.50
｜ｆ２３／Ｆ１｜＝1.17
【０１２７】
図１２は、実施例６にかかる結像光学系の諸収差図である。球面収差図において、縦軸はＦナンバー（図中、Ｆｎｏ．で示す）を表し、ｄ線（λ＝５８７．５６ｎｍ）に相当する波長の特性を示している。非点収差図において、縦軸は半画角（図中、ωで示す）を表し、ｄ線（λ＝５８７．５６ｎｍ）に相当する波長の特性を示している。なお、非点収差図において、実線はサジタル平面（図中、Ｓで示す）、破線はメリディオナル平面（図中、Ｍで示す）の特性を示している。歪曲収差図において、縦軸は半画角（図中、ωで示す）を表し、ｄ線（λ＝５８７．５６ｎｍ）に相当する波長の特性を示している。倍率色収差図において、縦軸は半画角（図中、ωで示す）を表し、ｄはｄ線（λ＝５８７．５６ｎｍ）、ＦはＦ線（λ＝４８６．１３ｎｍ）、ＣはＣ線（λ＝６５６．２７ｎｍ）に相当する波長の特性を示している。
【０１２８】
なお、上記各実施例中の数値データにおいて、ｒ1，ｒ2，・・・・は各レンズ、絞り面等の曲率半径、ｄ1，ｄ2，・・・・は各レンズ、絞り等の肉厚またはそれらの面間隔、ｎｄ1，ｎｄ2，・・・・は各レンズ等のｄ線（λ＝５８７．５６ｎｍ）に対する屈折率、νｄ1，νｄ2，・・・・は各レンズ等のｄ線（λ＝５８７．５６ｎｍ）に対するアッベ数を示している。そして、長さの単位はすべて「ｍｍ」、角度の単位はすべて「°」である。
【０１２９】
また、上記各実施例において、光軸面頂からの非球面形状サグ量（結像面の方向を正とする）Ｘは、光軸からレンズ外径方向への距離をＨ、近軸曲率半径をＲ、円錐係数をε、４次，６次，８次，１０次，１２次の非球面係数をそれぞれＡ，Ｂ，Ｃ，Ｄ，Ｅとするとき、以下に示す式により表される。
【０１３０】
【数１】
2016114648.tif 000003
【０１３１】
以上説明したように、上記各実施例の結像光学系は、条件式（１）を満足することで、最も温度変化による解像度の低下に影響を及ぼしやすい位置に配置されているレンズの温度による相対屈折率変化を適切に設定して、低温から高温までの幅広い温度領域において高い解像度を維持することができる。条件式（１）を満足することで、特に、高温時（１０５℃程度まで）や低温時（−４０℃程度まで）における光学系のピントずれを抑制することができる。したがって、上記各実施例の結像光学系は、夏季高温になりがちな車内に備えられる車載用カメラや環境温度の変化が著しい屋外に設置される監視用カメラ等にも問題なく用いることができる。
【０１３２】
さらに、条件式（２），（３）を満足することで、焦点深度が深い結像光学系を実現することができる。焦点深度が深ければ、高温時や低温時におけるピントずれが生じにくくなり、低温から高温までの幅広い温度領域において高解像度を維持することができる。また、焦点深度が深いと、画質が製品組立時に生じる偏心による影響を受けにくく、良好な画質を維持することができる。
【０１３３】
さらに、条件式（４）や条件式（５）を順次満足することで、高解像度を維持するために欠かせない要素となる倍率色収差、非点収差、歪曲収差の補正や、周辺光量の低下の防止に有効である。なお、上記各実施例の結像光学系は、適宜非球面が形成されたレンズを配置することで、少ないレンズ枚数でより収差補正能力を向上させることが可能になっている。
【産業上の利用可能性】
【０１３４】
以上のように、本発明にかかる結像光学系は、低温から高温までの幅広い温度領域において高い解像度が要求される撮像装置に有用であり、特に環境温度の変化が著しい条件下で使用される車載用カメラや監視用カメラに適している。
【符号の説明】
【０１３５】
Ｇ11，Ｇ21，Ｇ31，Ｇ41，Ｇ51，Ｇ61  前群
Ｇ12，Ｇ22，Ｇ32，Ｇ42，Ｇ52，Ｇ62  後群
Ｌ111，Ｌ121，Ｌ211，Ｌ221，Ｌ311，Ｌ321，Ｌ411，Ｌ421，Ｌ511，Ｌ521，Ｌ611，Ｌ621  負レンズ
Ｌ112，Ｌ122，Ｌ123，Ｌ212，Ｌ222，Ｌ223，Ｌ312，Ｌ322，Ｌ323，Ｌ412，Ｌ422，Ｌ423，Ｌ512，Ｌ522，Ｌ523，Ｌ612，Ｌ622，Ｌ623  正レンズ
ＳＴＰ  絞り
Ｆ  光学フィルタ
ＣＧ  カバーガラス
ＩＭＧ  結像面
【図１】
2016114648.tif 000004
【図２】
2016114648.tif 000005
【図３】
2016114648.tif 000006
【図４】
2016114648.tif 000007
【図５】
2016114648.tif 000008
【図６】
2016114648.tif 000009
【図７】
2016114648.tif 000010
【図８】
2016114648.tif 000011
【図９】
2016114648.tif 000012
【図１０】
2016114648.tif 000013
【図１１】
2016114648.tif 000014
【図１２】
2016114648.tif 000015